(57)【要約】【課題】  ハンマーによる打弦音を発生させない演奏でも、鍵のタッチを阻害しない。【解決手段】  回動して弦を打撃するハンマーヘッド、ハンマーシャンクを設ける。それらを下から突き上げて回動させるジャック、ジャックに力を伝達する鍵を設ける。ハンマーヘッドの回動範囲の外側に突出させてハンマーシャンクに突出部を設ける。ハンマーヘッドが弦を打撃する直前にこの突出部と当接するハンマーストッパを設ける。ハンマーストッパと突出部との当接または非当接を切替手段により切り替える。【選択図】  図１
2005134927.tif 000002
【特許請求の範囲】
【請求項１】
張設された弦と、
回動してこの弦を打撃するハンマーと、
このハンマーを突き上げて回動させるジャックと、
このジャックに力を伝達する鍵と、
を備えた鍵盤楽器であって、
上記ハンマーが上記弦を打撃する直前に跳ね返すストッパと、
上記ハンマーが打弦する通常演奏と、上記ストッパがハンマーを打弦前に跳ね返す非打弦時とを切り替えるように、上記ストッパを移動させる切替手段と、
を備えることを特徴とする鍵盤楽器。
【請求項２】
張設された弦と、
回動してこの弦を打撃するハンマーと、
このハンマーを突き上げて回動させるジャックと、
このジャックに力を伝達する鍵と、
を備えた鍵盤楽器であって、
上記ハンマーの回動範囲の外側で、上記ハンマーが上記弦を打撃する直前に跳ね返すストッパと、
上記ハンマーが打弦する通常演奏と、上記ストッパがハンマーを打弦前に跳ね返す非打弦時とを切り替えるように、上記ストッパを移動させる切替手段と、
を備えることを特徴とする鍵盤楽器。
【請求項３】
張設された弦と、
回動してこの弦を打撃するハンマーと、
このハンマーを突き上げて回動させるジャックと、
このジャックに力を伝達する鍵と、
を備えた鍵盤楽器であって、
上記ハンマーの回動範囲の外側に突出するように該ハンマーに設けられた突出体と、
上記ハンマーが上記弦を打撃する直前にこの突出体と当接可能に設けられたストッパと、
上記突出体との当接位置、または、非当接位置にこのストッパを移動させる切替手段と、
を備えることを特徴とする鍵盤楽器。
【発明の詳細な説明】
【技術分野】
【０００１】
本発明は鍵盤楽器に関し、ハンマーの回動を打弦直前で停止させ、すぐ跳ね返す機構を例えばハンマーヘッドの回動範囲の外側に設けることにより、打弦音を発生させないようにしても、鍵のタッチが阻害されないものである。
【背景技術】
【０００２】
従来、打弦による発音を変化させた鍵盤楽器として、特許文献１に記載されたものが提案されている。この鍵盤楽器は、弦とハンマーシャンクとの間にハンマーシャンクと対向する面に弾性体を有するストッパを設けたもので、回動するハンマーシャンクを弾性体を介してストッパで受け止めるものである。そして、ハンマーの回動による運動エネルギを弾性体で吸収することにより、この運動エネルギを弱めて、音質、弦の響き等を阻害することなく打弦による音量を効果的に減少させるものであった。
【特許文献１】実開昭５１−６７７３２号公報
【発明の開示】
【発明が解決しようとする課題】
【０００３】
しかしながら、このような鍵盤楽器にあっては、打弦による発音を完全に生じさせないようにしたとき、鍵のタッチをある程度犠牲にしなければならない等の課題があった。すなわち、打弦音が発生しないようにするためには、ストッパをハンマーシャンク側にさらに近づける必要がある。このとき、通常の接近（ハンマーアセンブリーのバットが、ジャックからの突上力を受けなくなり、自由回転運動を始めるときの弦とハンマーヘッドとの距離）では、ハンマーアセンブリーのバットがジャックから脱進する前に、ジャックおよびストッパによってハンマーアセンブリーが挟み込まれて止まってしまい、連打がやりにくくなる等、従来のピアノのような演奏ができなくなる。これを防止するためには、接近を通常より広くしなければならない。つまり、バットがジャックから離れる時期を早めに調整することになる。このようにすると、鍵のタッチが変化してしまい、ストッパをハンマーシャンクに当接しない位置に移動させ、打弦による発音を生じさせたとき、早めの脱進によりジャックによる供給エネルギーが減少し、ハンマーの衝撃力が弱くなるので、打弦による音色がややソフトになってしまう。さらに、鍵盤の連打性が多少悪くなるものであった。
【０００４】
そこで、本発明の目的は、ハンマーの回動を打弦直前で止める機構を例えばハンマーヘッドの回動範囲の外側に設けることにより、打弦音を発生させないようにしても、鍵のタッチが阻害されない鍵盤楽器を提供することである。
【課題を解決するための手段】
【０００５】
請求項１に記載の発明は、張設された弦と、回動してこの弦を打撃するハンマーと、このハンマーを突き上げて回動させるジャックと、このジャックに力を伝達する鍵と、を備えた鍵盤楽器であって、上記ハンマーが上記弦を打撃する直前に跳ね返すストッパと、上記ハンマーが打弦する通常演奏と、上記ストッパがハンマーを打弦前に跳ね返す非打弦時とを切り替えるように、上記ストッパを移動させる切替手段と、を備える鍵盤楽器である。
請求項１に記載の発明に係る鍵盤楽器にあっては、ストッパがハンマーを跳ね返す時、および、ストッパがハンマーを跳ね返さない時にも、通常演奏のように、打鍵に応じた力がジャックに伝わる。これにより、ジャックはハンマーを下から突き上げて回動させる。ストッパがハンマーを跳ね返さない時のハンマー接近は通常通りである。そして、ハンマーが弦を打撃する。
しかし、切替手段によりストッパが移動すると、ストッパは、ハンマーが弦を打撃する直前にハンマーを跳ね返す。すなわち、ハンマーは打弦することなくストッパにより跳ね返される。
したがって、切替手段による非打弦時には、ハンマーは弦を打撃することがない。この場合、ストッパはハンマーを打弦直前に跳ね返すため、誤差をみこんで予め大幅に接近を広げておかなくてもよい。よって、この時のハンマーの接近は通常通りである。このため、ジャックは、通常演奏時と同様に脱進動作する。
【０００６】
請求項２に記載の発明は、張設された弦と、回動してこの弦を打撃するハンマーと、このハンマーを突き上げて回動させるジャックと、このジャックに力を伝達する鍵と、を備えた鍵盤楽器であって、上記ハンマーの回動範囲の外側で、上記ハンマーが上記弦を打撃する直前に跳ね返すストッパと、上記ハンマーが打弦する通常演奏と、上記ストッパがハンマーを打弦前に跳ね返す非打弦時とを切り替えるように、上記ストッパを移動させる切替手段と、を備える鍵盤楽器である。
請求項２に記載の発明に係る鍵盤楽器にあっては、切替手段が、ストッパを移動させることにより、上記ハンマーが打弦する通常演奏と、上記ストッパがハンマーを打弦前に跳ね返す非打弦時とを切り替える。
通常演奏では、鍵がジャックに力を伝達すると、ジャックがハンマーを突き上げて回動させる。そして、ハンマーが回動してこの弦を打撃する。
一方、非打弦時は、上記ストッパが上記ハンマーの回動範囲の外側で、ハンマーが上記弦を打撃する直前に跳ね返す。すなわち、ハンマーは打弦することなくストッパにより跳ね返される。
したがって、切替手段による非打弦時には、ハンマーは弦を打撃することがない。この場合、誤差をみこんで予め大幅に接近を広げておかなくてもよい。よって、この時のハンマーの接近は通常通りである。このため、ジャックは、通常演奏時と同様に脱進動作する。
【０００７】
請求項３に記載の発明は、張設された弦と、回動してこの弦を打撃するハンマーと、このハンマーを突き上げて回動させるジャックと、このジャックに力を伝達する鍵と、を備えた鍵盤楽器であって、上記ハンマーの回動範囲の外側に突出するように該ハンマーに設けられた突出体と、上記ハンマーが上記弦を打撃する直前にこの突出体と当接可能に設けられたストッパと、上記突出体との当接位置、または、非当接位置にこのストッパを移動させる切替手段と、を備える鍵盤楽器である。
請求項３に記載の発明にあっては、ハンマーの回動範囲の外側に突出するように、ハンマーに突出体を設けている。そして、切替手段がストッパを移動させる。すなわち、ストッパを上記突出体との当接位置または非当接位置に移動させる。当接位置では、上記ハンマーが上記弦を打撃する直前に、この突出体とストッパとが当接する。その結果、ハンマーは弦を打撃しない。この場合、誤差をみこんで予め大幅に接近を広げておかなくてもよい。よって、この時のハンマーの接近は通常通りである。このため、ジャックは、通常演奏時と同様に脱進動作する。
非当接位置ではストッパは突出体と当接しない。すなわち、切替手段による非当接時には、ハンマーは、ジャックによって突き上げられた後、ストッパによってその回動を遮断されない。したがって、この非当接時には、通常演奏通りの打弦を行うことができる。
【発明の効果】
【０００８】
以上説明したように、請求項１に記載の発明に係る鍵盤楽器は、ハンマーの回動を打弦直前で止める機構を設けることにより、打弦音を発生させないようにしても、鍵のタッチを阻害されないものである。
また、請求項２，３に記載の発明に係る鍵盤楽器は、ハンマーの回動を打弦直前で止める機構をハンマーの回動範囲の外側に設けることにより、打弦音を発生させないようにしても、鍵のタッチが阻害されないものである。
【発明を実施するための最良の形態】
【０００９】
以下、本発明に係る鍵盤楽器の実施例について図面を参照して説明する。
【実施例１】
【００１０】
図１は本発明の鍵盤楽器の第１実施例に係るアップライトピアノの弦およびアクションの休止状態を示す側面図である。
この図において、各音高に対応して、弦１１はほぼ垂直にそれぞれ張設されている。図では、その一つを取り出して示している。
この弦１１に対してアクションは配設されている。このアクションは、主に、図中時計回り方向に回動して弦１１を打撃するハンマーヘッド１３と、このハンマーヘッド１３に連設された、シデ材、または、カエデ材によるハンマーシャンク１４と、を備えている。
このハンマーヘッド１３はハンマーウッド１３Ａを卵形状のハンマーフェルト１３Ｂで被覆したものである。このハンマーウッド１３Ａは、ハンマーシャンク１４との連設部において孔１００が形成されている。この孔１００にハンマーシャンク１４が嵌着している。
さらに、ハンマーシャンク１４の先端は、ハンマーフェルト１３Ｂの回動範囲（図中破線（１））の外側へ所定長さ突出している。すなわち、このハンマーシャンク１４は通常のハンマーシャンクより長いものである。
【００１１】
そして、ハンマーシャンク１４の突出部１０１の回動範囲（図中破線（２））の内側で、ハンマーフェルト１３Ｂの回動範囲の外側において、ハンマーシャンク１４の突出部１０１と弦１１との間には、ハンマーストッパ１０２が設けられている。このハンマーストッパ１０２は、周知のレギュレーティングボタンと類似のものである。このハンマーストッパ１０２は、そのスクリュー部１０２Ａがストッパレール１０３にねじ込まれて保持されている。ハンマーストッパ１０２は、ハンマーシャンク１４の突出部１０１に対向する面に皮革、フェルト等の緩衝材１０２Ｂが貼着されている。
【００１２】
ストッパレール１０３は弦１１に対応して配設される８８個の鍵全体にわたって共通に横断延設されたものである。
また、切替手段１０６は、レバー又はペダル等の操作でストッパレール１０３を、当接時、または、非当接時に２方向に切り替えるものである。この切替手段１０６の当接時に、ストッパレール１０３は、ピン１０４を中心に図中時計回り方向（ハンマーフェルト１３Ｂに近づく方向）に回転し略鉛直に固定されるものである。また、切替手段１０６の非当接時に、ストッパレール１０３は、ピン１０４を中心に図中反時計回り方向（ハンマーフェルト１３Ｂから遠ざかる方向）に回転し略水平に固定されるものである。すなわち、切替手段１０６の当接時には、ハンマーシャンク１４の突出部１０１の回動範囲（図中破線（１）と破線（２）の間）にハンマーストッパ１０２がストッパレール１０３により保持されるものである。
一方、切替手段１０６の非当接時には、ハンマーシャンク１４の突出部１０１の回動範囲の外側にハンマーストッパ１０２がストッパレール１０３により保持されるものである。
【００１３】
なお、切替手段１０６の非当接時に、調整ツール１０５を用いてハンマーストッパ１０２のスクリュウ部１０２Ａを回転させ、ストッパレール１０３からハンマーストッパ１０２が突出する長さを各鍵毎独立して微調整できる。すなわち、切替手段１０６の当接時において、ハンマーストッパ１０２の皮革等１０２Ｂとハンマーシャンク１４の突出部１０１との距離を、８８個のハンマー接近（例えば、低音域３ｍｍ、中音域２.５ｍｍ、高音域２ｍｍ）に対応してそれぞれ微調整することができるものである。
したがって、本実施例のハンマー接近は、各鍵毎に対応して、通常演奏のアップライトピアノの各ハンマー接近に限りなく近く調整することができるものである。このため、鍵のタッチは通常演奏のアップライトピアノと殆ど変わらないものである。
【００１４】
そして、バット１５はハンマーシャンク１４の基端に固定されている。このバット１５を揺動自在にセンターピン１７が支持している。このバット１５の右端にはバットスプリング１６が取り付けられている。このバットスプリング１６は、常時、図中反時計回り方向にバット１５を付勢し続けるものである。一方、バット１５の左端にはキャッチャーシャンク１８が突出して連結されている。このキャッチャーシャンク１８の先端にキャッチャー１９が固設されている。
【００１５】
そして、２８は、弦１１に対応して配設される８８個の鍵全体にわたって共通に横断延設されたセンターレールである。このセンターレール２８の上端部にバットフレンジ２９を介して上記バット１５が、センターピン１７を支点として回動自在に取り付けられている。
一方、センターレール２８の下端部にはウイペン（図示外）が回動自在に取り付けられている。このウイペンは、センターレール２８から水平方向に突出するように設けられている。
【００１６】
このウイペンの上面においてセンターレール２８の左方には、Ｌ字状のジャック３３が揺動自在に立設されている。このジャック３３の先端（頂端）は、上記バット１５の下端面に当接している。ジャック３３は、鍵（図示外）の打鍵に応じた図中時計回り方向への回動力をバット１５に伝達し、バット１５を介して、ハンマーヘッド１３およびハンマーシャンク１４を下から突き上げ回動させるものである。
【００１７】
以上の構成に係るアップライトピアノの作用について、切替手段１０６の当接時、非当接時に分けて、以下説明する。
【００１８】
切替手段１０６を当接に切り替えたアクションは、ハンマーストッパ１０２がハンマーシャンク１４の突出部１０１の回動範囲とハンマーヘッド１３の回動範囲との間に移動している。
このアクションは鍵を打鍵すると、その打鍵に応じてジャック３３を押し上げる。これとともに、ダンパー４３が弦１１から離間する。
【００１９】
一方、ジャック３３の上昇は、バット１５を突き上げて、図中時計回り方向にセンターピン１７を中心にバット１５を回動させる。このため、バット１５に設けられたハンマーヘッド１３およびハンマーシャンク１４は図中時計回り方向に回動する。ただし、ジャック３３は一定高さだけ上昇すると、ジャックテイル（図示外）がレギュレーティングボタン（図示外）に当接する。この結果、ジャック３３の上昇は阻止され、バット１５はジャック３３から脱進する。しかし、この後もハンマーヘッド１３およびハンマーシャンク１４はその慣性により、なおも図中時計回り方向に回動し続けて、弦１１を打撃しようとする。
【００２０】
しかし、ハンマーヘッド１３が弦１１を打撃する直前に、ハンマーシャンク１４の突出部１０１がハンマーストッパ１０２の皮革フェルト等の緩衝材１０２Ｂに当接する。この当接後、バットスプリング１６の付勢力により、ハンマーヘッド１３は弦１１を打撃することなく跳ね返される。この結果、バット１５はセンターピン１７を中心に図中反時計回り方向に回動する。そして、キャッチャースキン１９Ａは、バックチェックフェルト２７Ａに当接する。
すなわち、切替手段１０６の当接時には、ハンマーヘッド１３は打弦せず、ハンマーストップ状態に移動するものである。したがって、切替手段１０６の当接時（ハンマー非打弦状態）には、弦１１から発音することがない。
【００２１】
なお、このハンマー非打弦状態では、打鍵に応じて、自動ピアノ等に用いられるキーセンサ、ハンマーセンサ等の演奏情報に基づいた電子音源から発音させてもよい。この発音をヘッドホーン等で聴いたり、スピーカの音量を低減して聞いてもよい。または、響板ドライバを用いて、響板から小さな音量で発音させてもよい。すなわち、夜、日中であっても、ピアノの音を出したくないときは、弦から発音させずにタッチを損なうことなくピアノの演奏を楽しむことができるものである。
【００２２】
また、切替手段１０６を非当接に切り替えたアクションは、ハンマーストッパ１０２がハンマーシャンク１４の突出部１０１の回動範囲の外側に移動しているものである。このアクションは打鍵に応じてジャック３３を押し上げると、切替手段１０６の当接時と同様に、ジャック３３はバット１５を回動し、さらに、バット１５はジャック３３から脱進し、その後もハンマーヘッド１３およびハンマーシャンク１４はその慣性により、図中時計回り方向に回動し続けて、弦１１を打撃しようとする。
【００２３】
そして、ハンマーヘッド１３は、ハンマーストッパ１０２に回動運動を遮断されないので、弦１１を通常演奏通り打撃する。この打弦後も通常演奏通り、ハンマーヘッド１３は弦１１の反発力、および、バットスプリング１６の付勢力により跳ね返される。この結果、バット１５はセンターピン１７を中心に図中反時計回り方向に回動する。そして、キャッチャースキン１９Ａは、バックチェックフェルト２７Ａに当接する。
すなわち、切替手段１０６の非当接時には、ハンマーヘッド１３は通常演奏通りに打弦して、ハンマーストップ状態に移動するものである。したがって、この切替手段１０６の非当接時（ハンマーの通常打弦状態）にあっては、各鍵毎に、ハンマー接近が、通常のピアノに限りなく近く調整できているから、鍵のタッチも通常のピアノと殆ど変わらないものである。
【実施例２】
【００２４】
次に、図２を用いて、本発明の鍵盤楽器に係る第２実施例を説明する。図２はこの実施例に係るアップライトピアノの弦およびアクションの休止状態を示す側面図である。
【００２５】
この実施例にあっては、ハンマーウッド１３Ａと通常のハンマーシャンク１１４との連設部のハンマーウッド１３Ａの上面にＬ字状の曲板１１０が丸ビス１１１により固定されている。詳しくは、曲板１１０の長手１１０Ａはハンマーフェルト１３Ｂの回動範囲（図中破線（１））の外側へ突出した長さで、曲板１１０の短手１１０Ｂはハンマーウッド１３Ａの上面に固定されるものである。
切替手段１０６（図示略）は第１実施例と同じ構成である。この切替手段１０６の当接時に、曲板１１０の長手１１０Ａの回動範囲（図中破線（３））の内側でハンマーフェルト１３Ｂの回動範囲の外側にハンマーストッパ１０２がストッパレールにより保持されているものである。
なお、その他の構成は第１実施例の場合と同じである。
【００２６】
この実施例は第１実施例と比較すると、通常のハンマーシャンク１１４を用いることができる。さらに、突出体としての曲板１１０を交換することが容易である。
その他作用は第１実施例のそれと同じである。
【実施例３】
【００２７】
次いで、図３に示すように、第２実施例のハンマーウッド１３Ａに設けた曲板１１０を変更して、柄杓状の板１２０を丸ビス１１１で固定した本発明の鍵盤楽器に係る第３実施例を説明する。
この実施例にあっても、板１２０の取っ手１２０Ａは、第１実施例および第２実施例の場合と同じく、ハンマーフェルト１３Ｂの回動範囲（図中（１））の外側へ突出した長さである。
また、低音用のハンマーの首振りに対応（ハンマーが傾斜している音域に適用）して傾斜した柄杓状の板１２１を、低音用のハンマーウッド１３Ａに取り付けてもよい。
さらに、板１２０の長手１２０Ａの回動範囲（図中破線（４））の内側でハンマーフェルト１３Ｂの回動範囲の外側に、ストッパレール１０３に保持された周知のグランドピアノ用キャプスタンスクリュー１２２が設けられるものである。
なお、その他の構成は第２実施例のそれと同じである。
【００２８】
この実施例は、第２実施例と比較すると、丸ビス１１１が演奏者側（図中左側）から固定するようになっているので、さらに、突出体としての板１２０の交換が容易である。
その他作用は、第２実施例の場合と同じである。
【実施例４】
【００２９】
次に、図４に示すように、ハンマーヘッド１３Ａの側面を切削加工して係止部材１３０をその切削加工部に接着により嵌着させた第４実施例を説明する。
この係止部材１３０もハンマーフェルト１３Ｂの回動範囲（図中破線（１））の外側へ突出したものである。係止部材１３０の突出部１３０Ａの回動範囲（図中破線（５））の内側でハンマーフェルト１３Ｂの回動範囲の外側に、ストッパレール１０３に保持されたハンマーストッパ１０２が設けられるものである。
なお、その他の構成は第２実施例と同じである。
【００３０】
この実施例は、第２実施例および第３実施例の場合と比較すると、丸ビス１１１を用いなくとも突出体としての係止部材１３０を固定することができる。
その他作用は、第２実施例のそれと同じである。
【実施例５】
【００３１】
次いで、図５および図６を用いて、第５実施例を説明する。
この実施例では、通常のハンマーシャンク１１４の上部に、Ｌ字状の突出体１４０を取り付けるものである。
この突出体１４０は、図６に示すように、その一部に形成された半孔１４１Ａを有する左突出体１４１と、その一部に形成された半孔１４２Ａを有する右突出体１４２とで構成される。
左突出体１４１の半孔１４１Ａと右突出体１４２の半孔１４２Ａとの間にハンマーシャンク１１４を設け、ビス１４３，１４４を用いて固定するものである。
図５中突出体１４０の長手１４０Ａはハンマーフェルト１３Ｂの回動範囲（図中破線（１））の外側へ突出したものである。
突出体１４０の長手１４０Ａの回動範囲（図中破線（６））の内側でハンマーフェルト１３Ｂの回動範囲の外側に、ストッパレール１０３に保持された第３実施例と同じキャプスタンスクリュー１２２が設けられるものである。このキャプスタンスクリュー１２２には穴１４６が形成されている。調整ピン１４５の先端をこの穴１４６に挿入して、調整ピン１４５を回転させることにより、突出体の長手１４０Ａとキャプスタンスクリュー１２２の皮革部１２２Ａとの間の距離を微調整するものである。
なお、その他の構成は第２実施例のそれと同じである。
【００３２】
この実施例は、第３実施例の場合と同じように、切替手段１０６（図示略）の当接時に、キャプスタンスクリュー１２２をストッパレール１０３にねじ込む距離、すなわち、打弦直前ハンマー停止位置を調節することができる。
第１実施例〜第４実施例と比較すると、ハンマーヘッド１３およびハンマーシャンク１１４への加工を要しないものである。
その他作用は、第４実施例のそれと同じである。
【００３３】
なお、本発明に係る鍵盤楽器は、グランドピアノに用いてもよい。
【図面の簡単な説明】
【００３４】
【図１】本発明の第１実施例に係るアップライトピアノの弦およびアクションの休止状態を示す側面図である。
【図２】本発明の第２実施例に係るアップライトピアノの弦およびアクションの休止状態を示す側面図である。
【図３】本発明の第３実施例に係るアップライトピアノの要部を示す説明図である。
【図４】本発明の第４実施例に係るアップライトピアノの要部を示す説明図である。
【図５】本発明の第５実施例に係るアップライトピアノの弦およびアクションの休止状態を示す側面図である。
【図６】本発明の第５実施例に係るアップライトピアノの要部を示す斜視図である。
【符号の説明】
【００３５】
１１  弦、
１３  ハンマーヘッド、
１４  ハンマーシャンク、
３３  ジャック、
１０１  突出部、
１０２  ハンマーストッパ、
１０６  切替手段。
【図１】
2005134927.tif 000003
【図２】
2005134927.tif 000004
【図３】
2005134927.tif 000005
【図４】
2005134927.tif 000006
【図５】
2005134927.tif 000007
【図６】
2005134927.tif 000008